(57)【特許請求の範囲】
【請求項１】
棚板と、棚板受けとしてのブラケットとを備え、
ブラケットが、構造体に係止する係止部と、棚板に対してその前後方向に係脱自在な係合部と、棚板からの係合部の離脱を阻止するための抜け止め部とを有すると共に、
棚板が、ブラケットの係合部が係脱自在な被係合部と、被係合部に係合部が係合している状態でブラケットの抜け止め部が当接する規制部とを有し、
ブラケットと棚板とが、係合部と被係合部との係合部分を中心にして、棚板の前後方向に沿う軸線回りに互いに回動自在に係合しており、
抜け止め部が、棚板の規制部に当接する位置から規制部に当接しない位置に至る間で進退可能であることを特徴とする棚。
【発明の詳細な説明】
【技術分野】
【０００１】
本発明は、例えば商店などにおいて、支柱や壁などの構造体に取り付けて商品類を陳列するのに用いられる棚に関するものである。
【背景技術】
【０００２】
この種の棚としては、例えば、パネル引掛式の棚板の名称で特許文献１に記載されているものがある。特許文献１に記載の棚板は、物品を載置するための甲板と、支柱や壁などに固定して甲板の両側を支持する一対の支持アームとを備えており、甲板と各支持アームとを溶接により一体的に固着した構造である。
【先行技術文献】
【特許文献】
【０００３】
【特許文献１】特開昭５８−１２１９２０号公報
【発明の概要】
【発明が解決しようとする課題】
【０００４】
しかしながら、上記したような従来の棚にあっては、甲板（棚板）と支持アーム（ブラケット）とが溶接で固定されており、構造体から取り外した状態では、その立体構造分の空間を占有するので、運搬時や保管時において非常に嵩張るという問題点があり、このような問題点を解決することが課題であった。
【０００５】
本発明は、上記従来の課題に着目して成されたものであって、簡単な構造であるとともに折り畳むことが可能であり、運搬や保管の際に、嵩張ること無くコンパクトに収納可能な棚を提供することを目的としている。
【課題を解決するための手段】
【０００６】
本発明に係わる棚は、棚板と、棚板受けとしてのブラケットとを備え、ブラケットが、支柱や壁等の構造体に係止する係止部と、棚板に対してその前後方向に係脱自在な係合部と、棚板からの係合部の離脱を阻止するための抜け止め部とを有すると共に、棚板が、ブラケットの係合部が係脱自在な被係合部と、被係合部に係合部が係合している状態でブラケットの抜け止め部が当接する規制部とを有している。そして、上記棚は、ブラケットと棚板とが、係合部と被係合部との係合部分を中心にして、棚板の前後方向に沿う軸線回りに互いに回動自在に係合しており、抜け止め部が、棚板の規制部に当接する位置から規制部に当接しない位置に至る間で進退可能であることを特徴としている。
【発明の効果】
【０００７】
本発明に係わる棚は、上記構成を採用したことにより、簡単な構造であるとともに折り畳むことが可能であって、運搬や保管の際に、嵩張ること無くコンパクトに収納することができ、また、棚板とブラケットを分解することも可能である。
【図面の簡単な説明】
【０００８】
【図１】本発明に係わる棚の一実施形態を説明する平面図（Ａ）、正面図（Ｂ）、側面図（Ｃ）、及び構造体としての支柱の正面図（Ｄ）である。
【図２】ブラケットの平面図（Ａ）、側面図（Ｂ）、及び斜視図（Ｃ）である。
【図３】棚板の断面図（Ａ）、要部の平面図（Ｂ）、側面図（Ｃ）、要部の底面図（Ｄ）、及び図（Ｂ）中のＡ−Ａ線に基づく断面図（Ｅ）である。
【図４】棚板にブラケットを取り付ける過程を示す各側面図（Ａ）〜（Ｄ）である。
【図５】本発明に係わる棚の他の実施形態を説明するブラケットの正面図（Ａ）、平面図（Ｂ）及び側面図（Ｃ）である。
【図６】本発明に係わる棚の他の実施形態を説明する棚板の背面図（Ａ）、断面図（Ｂ）、平面図（Ｃ）、側面図（Ｄ）、ブラケットとともに示す底面図（Ｅ）及び正面図（Ｆ）である。
【図７】棚板を構成する側壁板を説明する正面図（Ａ）、平面図（Ｂ）及び側面図（Ｃ）である。
【図８】棚板に対してブラケットを回動させる工程を説明する各斜視図（Ａ）〜（Ｄ）及び平面図（Ｅ）である。
【発明を実施するための形態】
【０００９】
以下、図面に基づいて、本発明に係わる棚の一実施形態を説明する。
図１に示す棚１は、棚板２と、棚板受けとしての一対のブラケット３，３とを備えており、図１（Ｃ）に仮想線で示す支柱や壁等の構造体Ａに取り付けられる。なお、以下の説明では、図１（Ａ）中で上下方向、すなわち奥行き方向を棚１の前後方向とする。
【００１０】
ブラケット３は、図２に示すように、構造体Ａに係止する係止部６Ａ〜６Ｃと、棚板２に対してその前後方向に係脱自在な係合部４と、棚板２からの係合部４の離脱を阻止するための抜け止め部（５）とを有している。
【００１１】
より具体的には、ブラケット３は、棚板２の前後方向にわたる長さを有する板部材であって、図２中で右側となる基端部に、構造体Ａに係止する上下三段の鈎状の係止部６Ａ〜６Ｃを有している。この場合、図１（Ｄ）に構造体としての支柱を例示したように、構造体Ａの正面には、多数の竪スリットＳが縦横に配列してある。これに対して、ブラケット３は、選択した竪スリットＳに係止部６Ａ〜６Ｃを挿入して係止することにより、構造体Ａから突出した状態に固定される。
【００１２】
また、ブラケット３は、その上辺に、前後方向に配置した一対の凹部７，７を有すると共に、各凹部７に、片側に延出する折り曲げ片８を有し、各折り曲げ片８の先端部に、棚板２に対してその前後方向に係脱自在な係合部として、ブラケット基端部方向への突出部から成る係合部４を有している。このブラケット３は、凹部７に折り曲げ片８を形成することでブラケット３の上辺を平坦にし、棚板２を安定して保持し得るようにしている。
【００１３】
さらに、ブラケット３は、各凹部７のブラケット先端部側（図２Ｂ中で左側）の近傍位置に、抜け止め部を装着するためのめねじ孔９を有している。したがって、この実施形態の抜け止め部は、ねじ５である。なお、左右のブラケット３，３は、折り曲げ片８の延出方向が棚板２の中央方向となるように、対称形状になっている。
【００１４】
棚板２は、図３に示すように、ブラケット３の係合部４が係脱自在な被係合部１０と、被係合部１０に係合部４が係合している状態でブラケット３のねじ（抜け止め部）５が当接する規制部１１とを有している。
【００１５】
より具体的には、棚板２は、平板状の本体１２と、本体１２の下面に固定した一対の補強部材１３，１３とを備えている。両補強部材１３は、本体１２の幅（間口）方向の寸法よりも若干短い長尺部材であって、本体１２の前後方向に所定間隔で互いに平行に配置してある。なお、棚１は、上記の如く本体１２の幅よりも補強部材１３を若干短くすることで、図３（Ｂ）及び（Ｄ）に示すように、本体１２の端部に補強部材１３の無い部分を形成し、この部分をブラケット３の平坦な上辺で支持する。
【００１６】
各補強部材１３は、扁平なハット材の形状を有するもので、その断面において、水平片１３Ａを中央にして、一対の垂直片１３Ｂ，１３Ｂと、各垂直片１３Ｂの上端に連続する固定片１３Ｃ，１３Ｃとを対称的に有している。この補強部材１３は、両固定片１３Ｃ，１３Ｃの部分で本体１２に固定される。
【００１７】
また、棚板２は、補強部材１３の端部に、水平片１３Ａを一部切除した状態の切欠部１３Ｄを有し、この切欠部１３Ｄの範囲において、後側垂直片１３Ｂに、ブラケット３の係合部４が係脱自在な被係合部１０を設けている。この実施形態では、ブラケット３の係合部４が突出部であるから、棚板２の被係合部１０は、図３（Ｅ）に示す如く孔である。
【００１８】
さらに、棚板２は、上記切欠部１３Ｄの範囲において、前側垂直片１３Ｂを、被係合部１０に係合部４が係合している状態でブラケット３のねじ（抜け止め部）５が当接する規制部１１としている。つまり、ブラケット３における各係合部４やめねじ孔９は、各補強部材１３の配置や諸寸法に対応して形成してある。
【００１９】
上記の棚板２及びブラケット３を備えた棚１は、図４（Ａ）に示すように、棚板２の各補強部材１３，１３の切欠部１３Ｄに、ブラケット３の各折り曲げ片８，８を入り込ませ、図４（Ｂ）に示すように、ブラケット３を後方（図４中で右方）に移動させて、棚板２の各被係合部（図４Ａ中に中心線１０で示す）にブラケット３の各係合部４を夫々係合させる。これにより、ブラケット３の各めねじ孔９が、各補強部材１３の前側垂直片１３Ｂ（規制部１１）の後部に夫々位置する。
【００２０】
次に、棚１は、図４（Ｃ）及び（Ｄ）に示すように、ブラケット３の各めねじ孔９に、ねじ５を夫々装着する。これにより、棚１は、ブラケット３と棚板２とが、前後方向２カ所における係合部４と被係合部１０との係合部分を中心にして、棚板２の前後方向に沿う軸線回りに互いに回動自在に係合した状態になる。すなわち、係合部４と被係合部１０との係合部分がヒンジとして機能する。
【００２１】
このようにして、ブラケット３は、図１（Ａ）及び（Ｂ）に示すように、棚板２を支持する垂直の状態から、約９０度回動して棚板２の下面に添うように折り畳むことができる。このとき、補強部材１３の端部に形成した切欠部１３Ｄは、折り曲げ片８が入り込む空間となって、ブラケット３の回動を許容する。
【００２２】
また、棚１は、係合部４と被係合部１０とが係合した状態においては、ブラケット３のねじ５と棚板２の規制部１１とが干渉して、棚板２に対するブラケット３の先端部方向の移動を規制し、被係合部１０からの係合部４の離脱を阻止する。なお、ねじ５は、ブラケット３を貫通しているだけなので、規制部１１に当接したままの状態でブラケット３とともに回動する。
【００２３】
ここで、抜け止め部としてのねじ５は、被係合部１０からの係合部４の離脱方向に対して、棚板２の規制部１１に干渉する前進位置から規制部１１に干渉しない後退位置に至る間で進退可能である。つまり、ねじ５は、ブラケット３のめねじ孔９に対するねじ込み量により前進位置及び後退位置が決定される。
【００２４】
上記の棚１は、規制部１１に干渉しない後退位置にねじ５移動させることで、被係合部１０と係合部４との係合を解除することができる。このような抜け止め部は、ねじ５以外に、ピン類や駒のような部品も当然適用可能であるが、ねじ５を採用すれば、工具による操作性が良好であると共に、不用意な脱落や紛失を防ぐことができる。
【００２５】
上記の棚１は、係止部６Ａ〜６Ｃ、係合部４及びねじ（抜け止め部）５を設けたブラケット３と、被係合部１０及び規制部１１を有する棚板２を備え、ブラケット３と棚板２とが互いに回動自在であるものとしたので、簡単な構造であるとともに折り畳むことが可能であり、運搬や保管の際に、嵩張ること無くコンパクトに収納することができる。よって、限られた空間の多くの棚１を整然と収納することが可能である。
【００２６】
また、本発明に係わる棚１は、抜け止め部（ねじ５）が、規制部１１に対して進退可能である構成としたので、棚板２とブラケット３を分解することも可能であり、収納や保守管理の際に便利である。
【００２７】
さらに、上記の棚１は、棚板２における補強部材１３を巧みに利用して、ブラケット３に対する被係合部１０及び規制部１１を構成している。つまり、本発明の棚では、棚板２の本体１２に、被係合部１０や規制部１１を独立して設けることも可能である。しかし、上記実施形態の棚１では、棚板２に不可欠な補強部材１３において、相対向する垂直片１３Ｂ，１３Ｂに被係合部１０及び規制部１１を設け、ブラケット３の回動機能及び脱落防止機能の両機能を発揮する構成を補強部材１３の厚さの範囲内に納めている。これにより、上記実施形態の棚１は、部品点数の削減、製造コストの低減、構造の簡略化、及び棚１の薄型化などに貢献し得るものとなる。
【００２８】
さらに、上記の棚１は、図３（Ｃ）に示すように、棚板２の本体１２の両端に、下方に折り曲げた状態の側壁部１２Ａを有している。この側壁部１２Ａは、補強部材１３の厚さ（高さ）寸法とほぼ同じ高さ寸法である。このため、棚１は、棚板２に対するブラケット３の係合部分、すなわち上記したブラケット３の回動機能及び脱落防止機能の構成部位が側壁部１２Ａにより完全に被われて、良好な外観体裁を有するものとなる。
【００２９】
図５〜図８は、本発明に係わる棚の他の実施形態を説明する図である。なお、以下の説明では、先の実施形態と同様に棚の奥行き方向を前後方向とする。また、先の実施形態と同等の構成部位については詳細な説明を省略する。
すなわち、棚（図８の符号５１）は、先の実施形態と同様の基本構造（図１参照）を有しており、図５に示すブラケット５３と、図６に示す棚板５２とを備えている。
【００３０】
ブラケット５３は、構造体（図１中の符号Ａ）に係止する係止部５６Ａ〜５６Ｃと、棚板５２に対してその前後方向に係脱自在な係合部５４と、棚板５２からの係合部５４の離脱を阻止するための抜け止め部（ねじ５５）とを有している。
【００３１】
より具体的には、ブラケット５３は、棚板５２の前後方向にわたる長さを有する板部材であって、図５中で右側となる基端部に、構造体に係止する上下三段の鈎状の係止部５６Ａ〜５６Ｃを有し、構造体に対して突出した状態に固定される。
【００３２】
また、ブラケット５３は、その上辺に、前後方向に配置した一対の凹部５７，５７を有すると共に、各凹部５７に、片側に延出する折り曲げ片５８を有し、各折り曲げ片５８の先端部に、棚板５２に対してその前後方向に係脱自在な係合部として、ブラケット基端部方向への突出部から成る係合部５４を有している。なお、ブラケット５３は、棚板５２の左右に装着するもの同士が対称形状を成しているので、図面によって折り曲げ片５８の延出方向等が異なっている。
【００３３】
さらに、ブラケット５３は、先端部分に、抜け止め部を装着するためのめねじ孔５９を有している。したがって、この実施形態の抜け止め部は、ねじ５５である。先の実施形態では、図２に示す如く各凹部（７）の先端部側の近傍位置にめねじ孔（９）を設けていたが、この実施形態では、ブラケット５３の先端部分のみにめねじ孔５９を設けている。
【００３４】
棚板５２は、図６に示すように、ブラケット５３の係合部５４が係脱自在な被係合部６０と、被係合部６０に係合部５４が係合している状態でブラケット５３のねじ（抜け止め部）５５が当接する規制部６１とを有している。
【００３５】
この実施形態の棚板５２は、平板状の本体６２と、本体６２の下面に固定した一対の補強部材６３，６３と、本体６２の両端部に固定される側壁部材７０とを備えており、この側壁部材７０にブラケット５３を装着する構造になっている。
【００３６】
棚板５２の本体６２は、正面部分の背面側に、当該本体６２の左右方向にわたる突片６４を有し、この突片６４の端部を、被係合部６０に係合部５４が係合している状態でブラケット５３のねじ（抜け止め部）５５が当接する規制部６１としている。なお、突片６４は、本体６２の左右寸法よりも若干短く、図６（Ｃ）及び（Ｅ）に示すように、側壁部材７０との間に、ブラケット５３の厚さよりもやや大きい隙間６５を形成する。
【００３７】
棚板５２の側壁部材７０は、図７に示すように、本体６２の側部外観を形成する垂直片７１と、本体６２の裏面に対応する水平片７２とを一体的に有する部材である。この側壁部材７０は、水平片７２において、ブラケット５３の二カ所の凹部５７，５７に対応する位置に切欠部７３，７３を有すると共に、各切欠部７３の棚板後方側（図７Ｂで右側）の辺に垂下片７４を有し、この垂下片７４に、ブラケット５３の係合部５４が係脱自在な被係合部６０を設けている。この実施形態では、ブラケット５３の係合部５４が突出部であるから、棚板５２の被係合部６０は、図７（Ａ）に示す如く孔である。
【００３８】
上記の棚板５２及びブラケット５３を備えた棚５１は、図６（Ｅ）に示すように、棚板５２の側壁部材７０の被係合部６０に、ブラケット５３の係合部５４を係合し、その後、図８（Ａ）に示すように、ブラケット５３のめねじ孔５９にねじ（抜け止め部）５５を装着する。これにより、棚５１は、ブラケット５３と棚板５２とが、前後方向２カ所における係合部５４と被係合部６０との係合部分を中心にして、棚板５２の前後方向に沿う軸線回りに互いに回動自在に係合した状態になる。
【００３９】
また、棚５１は、係合部５４と被係合部６０とが係合した状態においては、ブラケット５３のねじ５５と棚板５２の規制部６１（突片６４）とが干渉して、棚板５２に対するブラケット５３の先端部方向の移動を規制し、被係合部６０からの係合部５４の離脱を阻止する。
【００４０】
さらに、抜け止め部としてのねじ５５は、被係合部６０からの係合部５４の離脱方向に対して、棚板５２の規制部６１に干渉する前進位置（締め込んだ位置）から規制部６１に干渉しない後退位置（緩めた位置）に至る間で進退可能である。
【００４１】
ここで、先の実施形態の棚（１）は、棚板（２）の端部にブラケット（３）の回動中心があって、図１（Ａ）及び（Ｂ）に示すように、ブラケット（３）が、棚板（２）を支持する垂直状態から、約９０度回動して棚板２の下面に添う水平状態にする。これに対して、この実施形態の棚５１は、ブラケット５３の回動中心が、棚板５２の端部よりもやや内側にあって、ブラケット５３が、棚板５２の裏面に添う水平状態から、側壁部材７０の垂直片７１の内側に添うように回動させて、垂直状態すなわち構造体に取り付ける状態に至る。
【００４２】
より具体的には、棚５１は、図８（Ａ）に示す水平状態のブラケット５３を、同図中の矢印及び図８（Ｂ）に示すように、起立方向に回動させる。この際、この実施形態の棚５１は、ブラケット５３の先端部と、棚板５２の突片６４とが干渉する場合があるが、ブラケット５３の先端部に設けた面取り部Ｒ、突片６４と側壁部材７０との隙間６５、及び棚板５２の弾性変形により、図８（Ｃ）に示すように、回動させ続けることができる。なお、この種の棚５１では、ブラケット５３の回動を頻繁に行うことはないので、ブラケット５３の回動の際に棚板５２に弾性変形が生じても、速やかに元の状態に復帰するので機能上の問題は全くない。
【００４３】
そして、棚５１は、ブラケット５３を起立させると、図８（Ｄ）及び（Ｅ）に示すように、ブラケット５３の上部が側壁部材７０の垂直片６４に添った状態となるので、それ以上のブラケット５３の回動が阻止され、ブラケット５３が垂直姿勢でロックされる。このとき、ブラケット５３は、ねじ５５と規制部６１（突片６４）とが上下に離間して、これらによる移動規制は無くなるが、図８（Ｅ）に示すように、先端部が棚板５２の正面壁６２Ａに対向して正面方向への移動が規制され、被係合部６０からの係合部５４の離脱も阻止される。
【００４４】
この実施形態の規制部６１（突片６４）は、ブラケット５３が垂直状態であるときには、ねじ（抜け止め部）５５との当接が行われないものの、ブラケット５３が水平状態であるときには、被係合部６０に係合部５４が係合している状態でブラケット５３の抜け止め部（ねじ５５）が当接する部位であることに変わりはない。
【００４５】
上記の棚５１は、規制部６１に干渉しない後退位置にねじ５５移動させることで、被係合部６０と係合部５４との係合を解除することができ、また、被係合部６０及び規制部６１を有する棚板５２を備え、ブラケット５３と棚板５２とが互いに回動自在であるものとしたので、簡単な構造であるとともに折り畳むことが可能であり、運搬や保管の際に、嵩張ること無くコンパクトに収納することができる。よって、限られた空間の多くの棚５１を整然と収納することが可能である。
【００４６】
また、上記の棚５１は、ブラケット５３を垂直状体にしてロックすることができるので、両側のブラケット５３を構造体に取り付ける場合に、両ブラケット５３が安定することとなり、一人の作業者でもその取り付け作業を容易に且つ確実に行うことができる。
【００４７】
なお、本発明の棚は、その構成が上記実施形態に限定されるものではなく、本発明の要旨を逸脱しない範囲で構成を適宜変更することが可能である。例えば上記実施形態では、ブラケットの係合部を突出部とし、棚板の被係合部を孔としたが、突出部と孔との関係を逆にしても良いし、先述したように、棚板に被係合部や規制部を独立して設けることも可能である。また、ブラケットの係合部及び棚板の被係合部は、上記の実施形態では２カ所に設けた場合を例示したが、少なくとも１カ所にあれば良く、３カ所やそれ以上であっても構わない。
【００４８】
さらに、上記実施形態では、棚板の両端部を棚板受けとしてのブラケットで支持する構成を説明したが、棚板の中間部にブラケットを折り畳み可能に設けることもできる。さらに、ブラケットの抜け止め部は、別部品のねじを例示したが、ブラケットの一部を可動させる構成や、規制部に対して直線的に進退する以外に、回動を伴って進退するものでも良い。
【符号の説明】
【００４９】
１，５１  棚
２，５２  棚板
３，５３  ブラケット
４，５４  係合部
５，５５  ねじ（抜け止め部）
１０，６０  被係合部
１１，６１  規制部
【図１】
0006407613.tif 000002
【図２】
0006407613.tif 000003
【図３】
0006407613.tif 000004
【図４】
0006407613.tif 000005
【図５】
0006407613.tif 000006
【図６】
0006407613.tif 000007
【図７】
0006407613.tif 000008
【図８】
0006407613.tif 000009